Podtech/llm-jp-corpus-v4-ja_patent huggingface dataset:
【手続補正書】
【提出日】平成19年6月27日(2007.6.27)
【手続補正１】
【補正対象書類名】特許請求の範囲
【補正対象項目名】全文
【補正方法】変更
【補正の内容】
【特許請求の範囲】
【請求項１】
複屈折性もしくは複屈折性と施光性とを備えた二枚の光学結晶板を貼り合わせて構成した積層波長板であって、
前記積層波長板に入射する光線の光軸と当該積層波長板の板面法線とは平行ではなく、
前記積層波長板を前記光線の光軸に垂直な面に投影したとき、前記２枚の光学結晶板の各々の光学軸が重なり合っていることを特徴とする積層波長板。
【請求項２】
複屈折性もしくは複屈折性と施光性とを備えた二枚の光学結晶板を貼り合わせて構成した積層波長板であって、
空気の屈折率をｎ、前記光学結晶板の屈折率をｎ’、前記積層波長板に入射する光線の入射角をΨ（Ψは０ではない）、前記積層波長板を通過する光線と当該積層波長板の板面法線とのなす角度をΨ’としたときに、
Ψ’＝ｓｉｎ−１｛（ｎ／ｎ’）・ｓｉｎΨ｝
の関係式を満足すると共に、
第一の光学結晶板の板面法線と光学軸とのなす角度をβ１、第二の光学結晶板の板面法線と光学軸とのなす角度をβ２、前記入射する光線の入射偏波面と第一の光学結晶板の光学軸を板面に投影したものとのなす角度をθ１、前記入射する光線の入射偏波面と第二の光学結晶板の光学軸を板面に投影したものとのなす角度をθ２としたときに、
前記入射する光線の入射偏波面と第一の光学結晶板の光学軸を前記入射する光線の光軸に垂直な面に投影したものとのなす角度θ１’と、前記入射する光線の入射偏波面と第二の光学結晶板の光学軸を前記入射する光線の光軸に垂直な面に投影したものとのなす角度θ２’とが、
θ１’＝ｔａｎ−１｛ｔａｎθ１・ｃｏｓΨ’＋
ｔａｎ（π−β１）・ｃｏｓΨ’・ｔａｎΨ’／ｃｏｓθ１｝
θ２’＝ｔａｎ−１｛ｔａｎθ２・ｃｏｓΨ’＋
ｔａｎ（π−β２）・ｃｏｓΨ’・ｔａｎΨ’／ｃｏｓθ２｝
θ１’＝θ２’
の関係式を満足していることを特徴とする積層波長板。
【請求項３】
前記二枚の光学結晶板を構成する結晶材料が水晶であることを特徴とする請求項１又は２に記載の積層波長板。
【請求項４】
レーザ光を出射する光源から光記憶媒体までの光路上に、請求項１乃至３の何れかに記載の積層波長板を、当該積層波長板の板面法線と前記レーザ光の光軸とのなす角度をΨとなるように配設したことを特徴とする光ピックアップ。
【手続補正２】
【補正対象書類名】明細書
【補正対象項目名】００１６
【補正方法】変更
【補正の内容】
【００１６】
上記目的を達成するために本発明に係わる積層波長板とそれを用いた光ピックアップは、以下の構成をとる。
請求項１に記載の積層波長板は、複屈折性もしくは複屈折性と施光性とを備えた二枚の光学結晶板を貼り合わせて構成した積層波長板であって、前記積層波長板に入射する光線の光軸と当該積層波長板の板面法線とは平行ではなく、前記積層波長板を前記光線の光軸に垂直な面に投影したとき、前記２枚の光学結晶板の各々の光学軸が重なり合うよう構成する。
【手続補正３】
【補正対象書類名】明細書
【補正対象項目名】００１７
【補正方法】変更
【補正の内容】
【００１７】
請求項２に記載の積層波長板は、複屈折性もしくは複屈折性と施光性とを備えた二枚の光学結晶板を貼り合わせて構成した積層波長板であって、空気の屈折率をｎ、前記光学結晶板の屈折率をｎ’、前記積層波長板に入射する光線の入射角をΨ（Ψは０ではない）、前記積層波長板を通過する光線と当該積層波長板の板面法線とのなす角度をΨ’としたときに、
Ψ’＝ｓｉｎ−１｛（ｎ／ｎ’）・ｓｉｎΨ｝
の関係式を満足すると共に、第一の光学結晶板の板面法線と光学軸とのなす角度をβ１、第二の光学結晶板の板面法線と光学軸とのなす角度をβ２、前記入射する光線の入射偏波面と第一の光学結晶板の光学軸を板面に投影したものとのなす角度をθ１、前記入射する光線の入射偏波面と第二の光学結晶板の光学軸を板面に投影したものとのなす角度をθ２としたときに、前記入射する光線の入射偏波面と第一の光学結晶板の光学軸を前記入射する光線の光軸に垂直な面に投影したものとのなす角度θ１’と、前記入射する光線の入射偏波面と第二の光学結晶板の光学軸を前記入射する光線の光軸に垂直な面に投影したものとのなす角度θ２’とが、
θ１’＝ｔａｎ−１｛ｔａｎθ１・ｃｏｓΨ’＋
ｔａｎ（π−β１）・ｃｏｓΨ’・ｔａｎΨ’／ｃｏｓθ１｝
θ２’＝ｔａｎ−１｛ｔａｎθ２・ｃｏｓΨ’＋
ｔａｎ（π−β２）・ｃｏｓΨ’・ｔａｎΨ’／ｃｏｓθ２｝
θ１’＝θ２’
の関係式を満足するよう構成する。
【手続補正４】
【補正対象書類名】明細書
【補正対象項目名】００１８
【補正方法】変更
【補正の内容】
【００１８】
請求項３に記載の積層波長板は、前記二枚の光学結晶板を構成する結晶材料を水晶で構成する。
【手続補正５】
【補正対象書類名】明細書
【補正対象項目名】００１９
【補正方法】変更
【補正の内容】
【００１９】
請求項４に記載の光ピックアップは、レーザ光を出射する光源から光記憶媒体までの光路上に、請求項１乃至３の何れかに記載の積層波長板を、当該積層波長板の板面法線と前記レーザ光の光軸とのなす角度をΨとなるように配設するよう構成する。
【手続補正書】
【提出日】平成19年3月14日(2007.3.14)
【手続補正１】
【補正対象書類名】特許請求の範囲
【補正対象項目名】全文
【補正方法】変更
【補正の内容】
【特許請求の範囲】
【請求項１】
光ディスクにエネルギーを照射して，記録マークを形成して情報を記録する情報記録方法であって，
第１の記録速度で，前記光ディスクに試し書きを行う第１のステップと，
前記第１のステップの後，前記第１のステップで記録した部分の上に重ねて，前記第１の記録速度とは異なる第２の記録速度で，前記光ディスクに試し書きを行う第２のステップと，
前記第２のステップで記録した情報を再生し，その再生信号に基づいて，前記第２の記録速度における前記エネルギーのパワーを決定するステップと，
前記第２の記録速度で，前記決定されたパワーで，前記エネルギービームを照射して，前記光ディスクに情報の記録を行うことを特徴とする情報記録方法。
【請求項２】
前記第１の記録速度は前記第２の記録速度よりも小さいことを特徴とする請求項１記載の情報記録方法。
【請求項３】
前記パワーは，ジッタに基づいて決定されることを特徴とする請求項１記載の情報記録方法。
【請求項４】
前記パワーを決定するステップは、複数の記録パワーにおけるそれぞれのジッタを測定することにより、ジッタと記録パワーとの関係を求め、前記関係から所定のジッタ閾値と交差する２つの記録パワーの中心パワーを、前記エネルギーのパワーと決定するステップであることを特徴とする請求項１記載の情報記録方法。
【請求項５】
光ディスクにエネルギーを照射して，記録マークを形成して情報を記録する情報記録方法であって，
第１の記録速度で，前記光ディスクに試し書きを行う第１のステップと，
前記第１のステップの後，前記第１のステップで記録した部分の上に重ねて，前記第１の記録速度とは異なる第２の記録速度で，前記光ディスクに試し書きを行う第２のステップと，
前記第２のステップで記録した情報を再生し，その再生信号に基づいて，前記第２の記録速度における前記エネルギーの第１のパワーを決定するステップと，
前記第１，第２とは異なる第３の記録速度で，前記光ディスクに試し書きを行う第４のステップと，前記第２の記録速度は、前記第１、第３の記録速度の間の速度であり、
前記第４のステップの後，前記第４のステップで記録した部分の上に重ねて，前記第２の記録速度で，前記光ディスクに試し書きを行う第５のステップと，
前記第５のステップで記録した情報を再生し，その再生信号に基づいて，前記第２の記録速度における前記エネルギーの第２のパワーを決定するステップを有し，
前記第１のパワーと前記第２のパワーのうち，大きいパワーで，前記第２の記録速度で，前記エネルギービームを照射して，前記光ディスクに情報の記録を行うことを特徴とする情報記録方法。
【請求項６】
前記第１，第２のパワーは，ジッタに基づいて決定されることを特徴とする請求項５記載の情報記録方法。
【請求項７】
光ディスクにエネルギーを照射して，記録マークを形成して情報を記録する情報記録方法であって，
試し書き記録中に、前記光ディスクと前記エネルギー照射の相対速度を変化させ、その後記録した情報を再生して信号評価し、前記信号評価に基づいて記録波形を決定し、前記記録波形を用いて情報を記録する情報記録方法。
【請求項８】
光ディスクにレーザ光によってエネルギーを照射するためのレーザ光源と，
前記光ディスクで反射した前記レーザ光を受光するための検出器と，
前記検出器の出力電流を電圧に変換して増幅するためのアンプ回路と，
前記光ディスクを回転させるスピンドルモータと，
前記スピンドルモータを回転させるためのモータ制御回路と，
前記レーザ光源を発光させるためのレーザ駆動回路と，
前記アンプ回路の出力信号に基づいて，前記モータ制御回路に対して，前記スピンドルモータの回転数を設定し，前記レーザ駆動回路に，前記レーザ光源の発光パワーレベル及び発光波形を設定するコントローラを有し，
前記コントローラは，試し書きにおける下地記録の際の線速度と，前記下地記録の領域に重ね書きする際の線速度を変えるように，前記モータ制御回路に前記スピンドルモータの回転数を設定することを特徴とする情報記録装置。
【手続補正書】
【提出日】平成19年7月30日(2007.7.30)
【手続補正１】
【補正対象書類名】特許請求の範囲
【補正対象項目名】全文
【補正方法】変更
【補正の内容】
【特許請求の範囲】
【請求項１】
記録媒体から情報を読み取る光ピックアップを有する記録媒体再生装置において、
前記記録媒体再生装置の動作状態を示す信号の正常値を記憶する記憶手段と、
前記記録媒体再生装置の動作状態を示す信号を測定する測定手段と、
前記正常値を測定可能な標準メディアが装着された時、前記記憶手段に記憶された正常値と、前記測定手段により測定された動作状態を示す信号とを比較する比較手段と、
前記比較手段の比較結果に基づいて前記記録媒体再生装置の異常を判別する判別手段と、を有し、
前記動作状態を示す信号は、情報読取り時のサーボ信号、前記光ピックアップのレーザ駆動電流値、前記記録媒体再生時のエラーレート、ＲＦ信号の振幅値及びジッタ量の少なくとも１つであることを特徴とする、記録媒体再生装置。
【請求項２】
請求項１に記載の記録媒体再生装置において、さらに、前記判別手段からの情報を表示する表示部を備え、
前記表示部は、前記判別手段の判別結果を表示することを特徴とする記録媒体再生装置。
【請求項３】
請求項２に記載の記録媒体再生装置において、前記表示部は前記判別結果の表示時に異常検出した測定値に関する情報を表示することを特徴とする記録媒体再生装置。
【請求項４】
記録媒体再生装置に標準メディアを装着するステップと、
前記装着された標準メディアに関してその動作状態に関する信号として記録媒体からの情報読み取り時のサーボ信号、前記光ピックアップのレーザ駆動電流値、前記記録媒体再生時のエラーレート、前記光ピックアップからのＲＦ信号の振幅値およびジッタ量の少なくとも１個を測定するステップと、
前記測定された信号値を予め設定された正常値と比較して前記記録媒体再生装置の異常を判別するステップと、を備えることを特徴とする記録媒体再生装置の診断方法。
【請求項５】
請求項４に記載の記録媒体再生装置の診断方法において、前記判別するステップで前記記録媒体再生装置に異常があると判別されるまで、記録媒体からの情報読み取り時のサーボ信号、前記光ピックアップのレーザ駆動電流値、前記エラーレート、前記光ピックアップからのＲＦ信号の振幅値およびジッタ量の測定を続けることを特徴とする記録媒体再生装置の診断方法。
【請求項６】
請求項５に記載の記録媒体再生装置の診断方法において、前記判別するステップで前記記録媒体再生装置の異常が判別されない場合、前記記録媒体再生装置に異常が無いことを示すメッセージと共にユーザが使用する記録媒体を前記記録媒体再生装置に装着することを促すメッセージを表示するステップと、装着された前記ユーザが使用する記録媒体についてその動作状態に関する信号を測定するステップと、ユーザ側記録媒体について測定された信号値を予め設定された正常値と比較してユーザ側記録媒体の異常を判別するステップ、をさらに備えることを特徴とする記録媒体再生装置の診断方法。
【請求項７】
請求項１に記載の記録媒体再生装置において、前記記録媒体再生装置に異常がないと判別された場合、通常の記録媒体の装着、案内を行うと共に、装着された記録媒体の動作状態を標準メディアと同等の方法で測定、比較して、前記記録媒体の異常を判別する記録媒体異常判別手段を備えることを特徴とする記録媒体再生装置。
【手続補正２】
【補正対象書類名】明細書
【補正対象項目名】０００７
【補正方法】変更
【補正の内容】
【０００７】
本発明の装置は、記録媒体から情報を読み取る光ピックアップを有する記録媒体再生装置において、前記記録媒体再生装置の動作状態を示す信号の正常値を記憶する記憶手段と、前記記録媒体再生装置の動作状態を示す信号を測定する測定手段と、前記正常値を測定可能な標準メディアが装着された時、前記記憶手段に記憶された正常値と、前記測定手段により測定された動作状態を示す信号とを比較する比較手段と、前記比較手段の比較結果に基づいて前記記録媒体再生装置の異常を判別する判別手段と、を有し、前記動作状態を示す信号は、情報読取り時のサーボ信号、前記光ピックアップのレーザ駆動電流値、前記記録媒体再生時のエラーレート、ＲＦ信号の振幅値及びジッタ量の少なくとも１つであることを特徴とする。
【手続補正３】
【補正対象書類名】明細書
【補正対象項目名】００１０
【補正方法】変更
【補正の内容】
【００１０】
本発明の記録媒体再生装置の診断方法は、記録媒体再生装置に標準メディアを装着するステップと、前記装着された標準メディアに関してその動作状態に関する信号として記録媒体からの情報読み取り時のサーボ信号、前記光ピックアップのレーザ駆動電流値、前記記録媒体再生時のエラーレート、前記光ピックアップからのＲＦ信号の振幅値およびジッタ量の少なくとも１個を測定するステップと、前記測定された信号値を予め設定された正常値と比較して前記記録媒体再生装置の異常を判別するステップとによって構成される。
【手続補正４】
【補正対象書類名】明細書
【補正対象項目名】００１１
【補正方法】変更
【補正の内容】
【００１１】
また、前記判別するステップで前記記録媒体再生装置に異常があると判別されるまで、記録媒体からの情報読み取り時のサーボ信号、前記光ピックアップのレーザ駆動電流値、前記エラーレート、前記光ピックアップからのＲＦ信号の振幅値およびジッタ量の測定を続ける。
【手続補正５】
【補正対象書類名】明細書
【補正対象項目名】００１２
【補正方法】変更
【補正の内容】
【００１２】
さらに、前記判別するステップで前記記録媒体再生装置の異常が判別されない場合、前記記録媒体再生装置に異常が無いことを示すメッセージと共にユーザが使用する記録媒体を前記記録媒体再生装置に装着することを促すメッセージを表示するステップと、装着された前記ユーザが使用する記録媒体についてその動作状態に関する信号を測定するステップと、ユーザ側記録媒体について測定された信号値を予め設定された正常値と比較してユーザ側記録媒体の異常を判別するステップ、を備えている。
【手続補正書】
【提出日】平成19年7月10日(2007.7.10)
【手続補正１】
【補正対象書類名】特許請求の範囲
【補正対象項目名】全文
【補正方法】変更
【補正の内容】
【特許請求の範囲】
【請求項１】
外部入力による各種の操作内容に応じた処理を実行する情報処理装置において、
それぞれ所定の上記操作内容が割り当てられた複数の操作子及び当該各操作子からの入力を無効にするための設定スイッチからなる入力手段と、
上記複数の操作子のうち指定された各上記操作子を操作禁止対象として設定する設定手段と、
上記設定手段による設定内容を記憶する記憶手段と、
上記設定スイッチがオン状態で、かつ上記複数の操作子のうち任意の上記操作子からの入力があったとき、上記記憶手段から上記設定内容を読み出して、当該操作子が上記操作禁止対象であるか否かを判断する判断手段と、
上記判断手段による判断結果に基づいて、上記操作された操作子が上記操作禁止対象である場合には当該操作子からの入力を無効にする一方、上記操作された操作子が上記操作禁止対象でない場合には当該操作子からの入力を有効にする制御手段と
を具えることを特徴とする情報処理装置。
【請求項２】
上記設定手段は、
上記入力手段における上記複数の操作子のうち少なくとも２以上の上記操作子と、当該各操作子からの入力内容を表示するための表示手段とを有し、
設定開始時に、該当する各上記操作子に割り当てられている操作内容を切り換えると共に、上記複数の操作子をそれぞれ表すマークを所定の配列状態で上記表示手段に表示させた後、各上記操作子からの入力に応じて指定された上記マークに対応する上記操作子を上記操作無効対象として設定する
ことを特徴とする請求項１に記載の情報処理装置。
【請求項３】
外部入力による各種の操作内容に応じた処理を実行する情報処理装置の設定方法において、
それぞれ所定の上記操作内容が割り当てられた複数の操作子のうち指定された各上記操作子を操作禁止対象として設定して記憶しておく第１のステップと、
各上記操作子からの入力を無効にするための設定スイッチがオン状態で、かつ上記複数の操作子のうち任意の上記操作子からの入力があったとき、上記記憶された設定内容に基づいて、当該操作子が上記操作禁止対象であるか否かを判断する第２のステップと、
上記判断結果に基づいて、上記操作された操作子が上記操作禁止対象である場合には当該操作子からの入力を無効にする一方、上記操作された操作子が上記操作禁止対象でない場合には当該操作子からの入力を有効にする第３のステップと
を具えることを特徴とする情報処理装置の設定方法。
【請求項４】
上記第１のステップでは、
設定開始時に、上記複数の操作子のうち少なくとも２以上の該当する上記操作子に割り当てられている操作内容を切り換えると共に、上記複数の操作子をそれぞれ表すマークを所定の配列状態で表示手段に表示させた後、各上記操作子からの入力に応じて指定された上記マークに対応する上記操作子を上記操作無効対象として設定する
ことを特徴とする請求項３に記載の情報処理装置の設定方法。
【請求項５】
複数の操作子を有する第1の操作手段と、
操作入力される第２の操作手段と、
上記第１の操作手段の各々の操作子からの操作入力に対して操作入力の無効を指定する操作無効情報が記憶される記憶手段と、
上記第１の操作手段が操作されたときに、上記第２の操作手段の状態と上記記憶手段に記憶された上記操作無効情報とに基づいて上記第１の操作手段で操作された操作子ごとの操作の有効又は無効を判別する判別手段と
を具えることを特徴とする情報処理装置。
【請求項６】
表示手段と、
上記第１の操作手段の各々の操作子に対応する操作無効情報を上記表示手段に表示すると共に、上記第１の操作手段の操作入力に基づいて上記操作無効情報を編集して上記記憶手段に記憶されるように制御する制御手段と
を具えることを特徴とする請求項５に記載の情報処理装置。
【請求項７】
複数の操作子を有する第１の操作手段から操作された操作子を検出し、
第２の操作手段の操作状態を検出し、
上記操作子ごとに操作入力の無効を指定する操作無効情報を取得し、
上記第２の操作手段の操作状態と上記操作無効情報とに基づいて上記検出された操作された操作子の入力操作の有効又は無効を判別する
ことを特徴とする情報処理方法。
【手続補正２】
【補正対象書類名】明細書
【補正対象項目名】発明の名称
【補正方法】変更
【補正の内容】
【発明の名称】情報処理装置、その設定方法及び情報処理方法
【手続補正書】
【提出日】平成19年7月30日(2007.7.30)
【手続補正１】
【補正対象書類名】特許請求の範囲
【補正対象項目名】全文
【補正方法】変更
【補正の内容】
【特許請求の範囲】
【請求項１】
光ピックアップのアクチュエータへ供給される駆動電圧又は駆動電流を検出する検出手段と、
前記検出手段により検出された駆動電圧又は駆動電流に基づいて、前記アクチュエータへ供給される駆動電圧又は駆動電流を制限する制御手段と、を備えることを特徴とする制御装置。
【請求項２】
光ピックアップのアクチュエータと、
前記アクチュエータへ駆動電圧又は駆動電流を供給するための駆動手段と、
前記光ピックアップのアクチュエータへ供給される駆動電圧又は駆動電流を検出する検出手段と、
前記検出手段により検出された駆動電圧又は駆動電流に基づいて、前記駆動手段によって前記アクチュエータへ供給される駆動電圧又は駆動電流を制限する制御手段と、を備えることを特徴とする光ディスク装置。
【請求項３】
前記制御手段は、
前記アクチュエータの温度変化の速度に相当する時定数を有し、前記検出手段の出力を積分する積分手段と、
前記積分手段の出力をしきい値と比較する比較手段と、
前記比較手段の比較結果に基づいて前記制限を行う制限手段と、を備えることを特徴とする請求項２に記載の光ディスク装置。
【請求項４】
請求項３に記載の光ディスク装置において、周囲温度によって出力を変化させる温度検出装置をさらに設け、該装置の出力によって前記比較手段のしきい値を制御することを特徴とする光ディスク装置。
【請求項５】
請求項３又は４に記載の光ディスク装置において、前記制御手段は前記制限後、一定時間を計時するタイマを備え、該タイマのタイマアップによって前記制限を解除することを特徴とする光ディスク装置。
【請求項６】
請求項３、４、５の何れか１項に記載の光ディスク装置において、前記制御手段は周囲温度を検出する温度検出素子を備え、前記温度検出素子によって検出された周囲温度が予め設定した正常値に達した場合、前記駆動回路出力の制限を解除することを特徴とする光ディスク装置。
【手続補正２】
【補正対象書類名】明細書
【補正対象項目名】発明の名称
【補正方法】変更
【補正の内容】
【発明の名称】制御装置および光ディスク装置
【手続補正３】
【補正対象書類名】明細書
【補正対象項目名】０００１
【補正方法】変更
【補正の内容】
【０００１】
本発明は、光ピックアップを変位させるための制御装置および光ディスク装置に関し、特にアクチュエータの異常を検出してこれに適切に対応することが可能な、制御装置および光ディスク装置に関する。
【手続補正４】
【補正対象書類名】明細書
【補正対象項目名】０００８
【補正方法】変更
【補正の内容】
【０００８】
本発明は、従来の光ピックアップにおける上記の問題点を解決するためになされたもので、光ピックアップのアクチュエータにおける異常の発生を、温度センサ等の特別な外付け部品によらずにできる限り正確に検出し、これに適正に対処することが可能な、制御装置および光ディスク装置を提供することを目的とする。
【手続補正５】
【補正対象書類名】明細書
【補正対象項目名】０００９
【補正方法】変更
【補正の内容】
【０００９】
上記課題を解決するために、本発明の制御装置は、光ピックアップのアクチュエータへ供給される駆動電圧又は駆動電流を検出する検出手段と、前記検出手段により検出された駆動電圧又は駆動電流に基づいて、前記アクチュエータへ供給される駆動電圧又は駆動電流を制限する制御手段とを備える。
【手続補正６】
【補正対象書類名】明細書
【補正対象項目名】００１０
【補正方法】変更
【補正の内容】
【００１０】
本発明の光ディスク装置は、光ピックアップのアクチュエータと、前記アクチュエータへ駆動電圧又は駆動電流を供給するための駆動手段と、前記光ピックアップのアクチュエータへ供給される駆動電圧又は駆動電流を検出する検出手段と、前記検出手段により検出された駆動電圧又は駆動電流に基づいて、前記駆動手段によって前記アクチュエータへ供給される駆動電圧又は駆動電流を制限する制御手段とを備える。
【手続補正７】
【補正対象書類名】明細書
【補正対象項目名】００１１
【補正方法】変更
【補正の内容】
【００１１】
また、前記制御手段は、前記アクチュエータの温度変化の速度に相当する時定数を有し、前記検出手段の出力を積分する積分手段と、前記積分手段の出力をしきい値と比較する比較手段と、前記比較手段の比較結果に基づいて前記制限を行う制限手段と、を備えるようにしても良い。
【手続補正８】
【補正対象書類名】明細書
【補正対象項目名】００１２
【補正方法】変更
【補正の内容】
【００１２】
また、前記の光ディスク装置において、周囲温度によって出力を変化させる温度検出装置をさらに設け、該装置の出力によって前記比較手段のしきい値を制御するようにしても良い。
【手続補正９】
【補正対象書類名】明細書
【補正対象項目名】００１３
【補正方法】変更
【補正の内容】
【００１３】
また、前記の光ディスク装置において、前記制御手段は前記制限後、一定時間を計時するタイマを備え、該タイマのタイマアップによって前記制限を解除するようにしても良い。
【手続補正１０】
【補正対象書類名】明細書
【補正対象項目名】００１４
【補正方法】変更
【補正の内容】
【００１４】
また、前記の光ディスク装置において、前記制御手段は周囲温度を検出する温度検出素子を備え、前記温度検出素子によって検出された周囲温度が予め設定した正常値に達した場合、前記駆動回路出力の制限を解除するようにしても良い。
【手続補正書】
【提出日】平成19年3月29日(2007.3.29)
【手続補正１】
【補正対象書類名】特許請求の範囲
【補正対象項目名】全文
【補正方法】変更
【補正の内容】
【特許請求の範囲】
【請求項１】
情報記録媒体に情報を記録する時の記録条件を設定するための試し書き方法であって、
記録符号列中のマーク長について、検出窓幅の自然数ｎ倍長のマークに対して、ｎを２以上の整数定数で除算した剰余にしたがって分類される記録パターンを記録するステップと、
前記記録した情報を再生し、その再生結果を基に、前記分類される記録パターン毎に、記録パルス波形を設定するステップと、
を有することを特徴とする試し書き方法。
【請求項２】
前記分類される記録パターンは、偶数長マークからなる記録パターンと、奇数長マークからなる記録パターンであることを特徴とする請求項１記載の試し書き方法。
【請求項３】
前記分類される記録パターンは、ｎＴ＝３ＬＴ（Ｌはパルス数、Ｔは検出窓幅）からなるマークで形成された記録パターンと、ｎＴ＝（３Ｌ−２）Ｔからなるマークで形成された記録パターンと、ｎＴ＝（３Ｌ−１）Ｔからなるマークで形成された記録パターンと、であることを特徴とする請求項１記載の試し書き方法。
【請求項４】
前記分類される記録パターンは、ｎＴ＝４ＬＴ（Ｌはパルス数、Ｔは検出窓幅）からなるマークで形成された記録パターンと、ｎＴ＝（４Ｌ−２）Ｔからなるマークで形成された記録パターンと、ｎＴ＝（４Ｌ−１）Ｔからなるマークで形成された記録パターンと、ｎＴ＝（４Ｌ＋１）Ｔからなるマークで形成された記録パターンと、であることを特徴とする請求項１記載の試し書き方法。
【請求項５】
情報記録媒体に情報を記録する情報記録方法であって、
記録符号列中のマーク長について、検出窓幅の自然数ｎ倍長のマークに対して、ｎを２以上の整数定数で除算した剰余にしたがって分類される記録パターンを記録するステップと、
前記記録した情報を再生し、その再生結果を基に、前記分類される記録パターン毎に、記録パルス波形を設定するステップと、
前記記録パルス波形を用いて、ユーザデータを記録するステップと、
を有することを特徴とする情報記録方法。
【請求項６】
前記分類される記録パターンは、第１の記録パターンと第２の記録パターンとを有し、
前記第１の記録パターンを形成する記録波形の始端パルス照射開始位置と、前記第２の記録パターンを形成する記録波形の始端パルス照射開始位置と、の相対位置関係を調整し、
前記記録パルス波形を設定することを特徴とする請求項５記載の情報記録方法。
【請求項７】
前記相対位置関係を調整した後、記録パワーを調整し、前記記録パルス波形を設定することを特徴とする請求項６記載の情報記録方法。
【請求項８】
記録パルス波形を決定するための試し書きパターンを記録媒体に記録する試し書きパターン記録手段と、
記録された前記試し書きパターンを検出する検出回路と、
前記検出回路からの信号に基づいて、記録パルス波形を整形する記録パルス整形回路とを有し、
前記試し書きパターン記録手段は、記録符号列中のマーク長について、検出窓幅の自然数ｎ倍長のマークに対して、ｎを２以上の整数定数で除算した剰余にしたがって分類される記録パターンを記録する手段であり、
前記記録パルス整形回路は、前記分類される記録パターン毎に、記録パルス波形を設定することを特徴とする情報記録装置。
【請求項９】
前記試し書きパターン記録手段は、予め分類された前記記録パターンを記録することを特徴とする請求項９記載の情報記録装置。
【請求項１０】
前記分類される記録パターンは、第１の記録パターンと第２の記録パターンとを有し、
前記記録パターンを記録する手段は、前記第１の記録パターンと前記第２の記録パターンとが、ランダムに組み合わされた組み合わせ記録パターンを記録する手段であり、
前記検出回路からの信号に基づいて、前記第１の記録パターンと第２の記録パターンとを分類する分類回路を、更に有することを特徴とする請求項１０記載の情報記録装置。
【手続補正書】
【提出日】平成19年7月19日(2007.7.19)
【手続補正１】
【補正対象書類名】特許請求の範囲
【補正対象項目名】全文
【補正方法】変更
【補正の内容】
【特許請求の範囲】
【請求項１】
記録媒体からコンテンツデータを再生する再生手段と、
前記記録媒体に記録された複数のコンテンツデータを複数のグループに分類する管理手段と、
前記再生手段による前記コンテンツデータの再生停止に応じて、前記コンテンツデータを前記グループに分類するための問い合わせ情報を表示装置に出力する制御手段とを備える再生装置。
【請求項２】
前記問い合わせ情報に応じて、複数の所定の前記グループのうちの何れかのグループを選択する選択手段を備え、前記管理手段は前記再生を停止したコンテンツデータを前記選択手段により選択されたグループに分類することを特徴とする請求項１記載の再生装置。
【請求項３】
前記制御手段は更に、前記選択手段により前記複数のグループのうちの何れも選択されなかった場合に、新たな前記グループを作成するための情報を前記表示装置に出力することを特徴とする請求項２記載の再生装置。
【請求項４】
前記管理手段は、前記グループに含まれるコンテンツファイルを示す管理情報を生成し、前記選択手段による選択動作に応じて前記管理情報の内容を変更することを特徴とする請求項２記載の再生装置。
【請求項５】
前記管理手段は、ルートディレクトリを含む前記複数のグループに対応した階層構造のディレクトリにより前記複数のコンテンツデータを管理することを特徴とする請求項１記載の再生装置。
【請求項６】
前記制御手段は、前記ルートディレクトリに格納されたコンテンツデータを再生停止した場合に前記問い合わせ情報を出力し、前記ルートディレクトリ以外のディレクトリに格納されたコンテンツデータを再生停止した場合には前記問い合わせ情報の出力を停止することを特徴とする請求項５記載の再生装置。
【請求項７】
前記制御手段は、前記再生停止したコンテンツデータが複数の所定の前記グループのうちの何れにも分類されていない場合に前記問い合わせ情報を出力することを特徴とする請求項１記載の再生装置。
【請求項８】
前記コンテンツデータの再生停止を指示する指示手段を備え、前記制御手段は前記指示手段による再生停止の指示に応じて前記問い合わせ情報を出力することを特徴とする請求項１記載の再生装置。
【請求項９】
前記制御手段は、前記指示手段に応じた再生停止位置が前記コンテンツデータの先頭から所定期間以降であった場合に前記問い合わせ情報を表示することを特徴とする請求項８記載の再生装置。
【請求項１０】
前記制御手段は、前記コンテンツデータの再生を停止した位置が前記コンテンツデータの終端位置であった場合に前記問い合わせ情報を出力し、前記終端位置以外の位置で再生を停止した場合には前記問い合わせ情報の表示を禁止することを特徴とする請求項１記載の再生装置。
【請求項１１】
撮像手段と、
前記撮像手段により得られた一連の画像データを含むコンテンツファイルを記録媒体に記録する記録手段と、
前記記録媒体に記録された複数のコンテンツファイルを複数のグループに分類するための管理情報を生成する管理手段と、
前記記録媒体から、指定されたコンテンツファイルの画像データを再生する再生手段と、
前記再生手段による前記画像データの再生停止に応じて、前記画像データを前記グループに分類するための問い合わせ情報を表示装置に出力する制御手段とを備える撮像装置。
【手続補正書】
【提出日】平成19年6月11日(2007.6.11)
【手続補正１】
【補正対象書類名】特許請求の範囲
【補正対象項目名】全文
【補正方法】変更
【補正の内容】
【特許請求の範囲】
【請求項１】
入力手段により指し示された画像サイズを判定する判定手段と、
前記判定手段により判定された画像サイズに応じて、前記指し示された画像に関する説明情報を提示する情報提示部を制御することで、前記説明情報を表示若しくは非表示とする表示制御手段とを具備することを特徴とする情報管理装置。
【請求項２】
前記説明情報は、前記入力手段によりフォルダ内の画像が指し示された場合には当該画像に関する説明情報を含み、前記入力手段がフォルダ内の画像以外を指し示している場合には当該フォルダに関する説明情報を含むことを特徴とする請求項１に記載の情報管理装置。
【請求項３】
画像のサムネイルを一覧表示する一覧表示手段を更に備え、
前記表示制御手段は、前記入力手段がサムネイルを指し示している場合には当該画像を含む第１の形態の説明情報を表示し、サムネイル以外を指し示している場合には当該第１の形態とは異なる第２の形態の画像を含む説明情報を表示するように前記情報提示部を制御することを特徴とする請求項１又は２に記載の情報管理装置。
【請求項４】
前記説明情報に含まれる画像は、前記情報提示部で表示するサムネイルの最大サイズで表示されることを特徴とする請求項３に記載の情報管理装置。
【請求項５】
前記フォルダに関する説明情報を表示する場合、当該フォルダ内にある代表画像を所定枚表示することを特徴とする請求項２に記載の情報管理装置。
【請求項６】
前記説明情報の表示位置は、前記入力手段の指し示す位置を基準にして設定されることを特徴とする請求項１乃至５のいずれか１項に記載の情報管理装置。
【請求項７】
前記説明情報の表示内容は、前記入力手段の指し示す位置に基づいて設定されることを特徴とする請求項１乃至５のいずれか１項に記載の情報管理装置。
【請求項８】
前記一覧表示手段により表示されているサムネイルが、前記情報提示部で表示するサムネイルの最大サイズより大きい場合、当該最大サイズのサムネイルを用いずに、より大きな表示用画像をオリジナル画像から再作成して前記情報提示部に表示する第１の表示モードを有することを特徴とする請求項３乃至７のいずれか１項に記載の情報管理装置。
【請求項９】
前記一覧表示手段により表示されているサムネイルが、前記情報提示部で表示するサムネイルの最大サイズより大きい場合、テキスト情報のみを前記情報提示部に表示する第２の表示モードを有することを特徴とする請求項３乃至７のいずれか１項に記載の情報管理装置。
【請求項１０】
前記一覧表示手段により表示されているサムネイルが、前記情報提示部で表示するサムネイルの最大サイズより大きい場合、前記説明情報を非表示とする第３の表示モードを有することを特徴とする請求項３乃至７のいずれか１項に記載の情報管理装置。
【請求項１１】
前記一覧表示手段により表示されているサムネイルが、前記情報提示部で表示するサムネイルの最大サイズより大きい場合、当該最大サイズのサムネイルを用いずに、より大きな表示用画像をオリジナル画像から再作成して前記情報提示部に表示する第１の表示モードと、
前記一覧表示手段により表示されているサムネイルが、前記情報提示部で表示するサムネイルの最大サイズより大きい場合、テキスト情報のみを前記情報提示部に表示する第２の表示モードと、
前記一覧表示手段により表示されているサムネイルが、前記情報提示部で表示するサムネイルの最大サイズより大きい場合、前記説明情報を非表示とする第３の表示モードとを有し、
前記第１乃至第３の表示モードを任意に切り替え可能としたことを特徴とする請求項３乃至７のいずれか１項に記載の情報管理装置。
【請求項１２】
前記情報提示部に動画を表示する場合、前記表示制御手段は、当該情報提示部に当該動画のための操作部を表示することを特徴とする請求項１乃至１１のいずれか１項に記載の情報管理装置。
【請求項１３】
前記情報提示部に回転情報を有する画像を表示する場合、前記表示制御手段は、当該情報提示部に当該回転情報を反映した画像を表示することを特徴とする請求項１乃至１１のいずれか１項に記載の情報管理装置。
【請求項１４】
前記情報提示部は、所定の操作を行ったときのみ表示されることを特徴とする請求項１乃至１３のいずれか１項に記載の情報管理装置。
【請求項１５】
前記所定の操作を任意に切り替え可能としたことを特徴とする請求項１４に記載の情報管理装置。
【請求項１６】
入力手段により指し示された画像に関する説明情報を表示する情報提示方法であって、
前記入力手段により指し示された画像サイズを判定する判定工程と、
前記判定工程により判定された画像サイズに応じて、前記入力手段により指し示された画像に関する説明情報を提示する情報提示部を制御することで、前記説明情報を表示若しくは非表示とする表示制御工程とを具備することを特徴とする情報提示方法。
【手続補正２】
【補正対象書類名】明細書
【補正対象項目名】０００９
【補正方法】変更
【補正の内容】
【０００９】
上記問題を解決するために、本発明の情報管理装置は、入力手段により指し示された画像サイズを判定する判定手段と、前記判定手段により判定された画像サイズに応じて、前記指し示された画像に関する説明情報を提示する情報提示部を制御することで、前記説明情報を表示若しくは非表示とする表示制御手段とを具備する。
【手続補正３】
【補正対象書類名】明細書
【補正対象項目名】００１０
【補正方法】変更
【補正の内容】
【００１０】
また、本発明の情報提示方法は、入力手段により指し示された情報に関する説明情報を表示する情報提示方法であって、前記入力手段により指し示された画像サイズを判定する判定工程と、前記判定工程により判定された画像サイズに応じて、前記指し示された画像に関する説明情報を提示する情報提示部を制御することで、前記説明情報を表示若しくは非表示とする表示制御工程とを具備する。
【手続補正書】
【提出日】平成19年4月12日(2007.4.12)
【手続補正１】
【補正対象書類名】特許請求の範囲
【補正対象項目名】全文
【補正方法】変更
【補正の内容】
【特許請求の範囲】
【請求項１】
原料と水蒸気から改質反応により水素を含む改質ガスを生成する改質器を有する水素生成器と、前記水素生成器から供給される水素を含む燃料と酸素を含む酸化剤とを用いて発電を行う燃料電池と、
前記燃料電池を所定の温度に維持するための冷却水が循環する冷却水循環経路と、
前記改質器に供給される水蒸気のための水を供給する水供給経路と、
水タンクとを備え、
前記水タンクは、第１貯水部と第２貯水部とに分割され、
前記第１貯水部は、前記水供給経路と連通し、前記第２貯水部は、前記冷却水循環経路と連通し、
かつ、前記第２貯水部の水位が、前記第１貯水部の水位よりも低くなるよう構成されていることを特徴とする燃料電池システム。
【請求項２】
前記第２貯水部の容量は、前記第１貯水部の容量より大きいことを特徴とする請求項１に記載の燃料電池システム。
【請求項３】
前記第１貯水部と前記第２貯水部とを繋ぐ連通部と、前記第２貯水部にオーバフロー口とを有し、前記連通部の高さは前記オーバフロー口の高さより高いことを特徴とする請求項１または２に記載の燃料電池システム。
【請求項４】
前記燃料電池の燃料オフガス及び酸化剤オフガスの少なくとも一方から回収した凝縮水を貯える凝縮水タンクを備え、前記オーバフロー口は前記凝縮水タンクと連結していることを特徴とする請求項３記載の燃料電池システム。
【手続補正２】
【補正対象書類名】明細書
【補正対象項目名】００１１
【補正方法】変更
【補正の内容】
【００１１】
上記課題を解決するための、第１の本発明に係る燃料電池システムは、原料と水蒸気から改質反応により水素を含む改質ガスを生成する改質器を有する水素生成器と、前記水素
生成器から供給される水素を含む燃料と酸素を含む酸化剤とを用いて発電を行う燃料電池と、前記燃料電池を所定の温度に維持するための冷却水が循環する冷却水循環経路と、前記改質器に供給される水蒸気のための水を供給する水供給経路と、水タンクとを備え、前記水タンクは、第１貯水部と第２貯水部とに分割され、前記第１貯水部は、前記水供給経路と連通し、前記第２貯水部は、前記冷却水循環経路と連通し、かつ、前記第２貯水部の水位が、前記第１貯水部の水位よりも低くなるよう構成されていることを特徴とする。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１９
【補正方法】変更
【補正の内容】
【００１９】
また、前記第１貯水部と前記第２貯水部とを繋ぐ連通部と、第２貯水部にオーバフロー口とを有し、前記連通部の高さは前記オーバフロー口の高さより高くても良い。
【手続補正８】
【補正対象書類名】明細書
【補正対象項目名】００２１
【補正方法】変更
【補正の内容】
【００２１】
また、前記燃料電池の燃料オフガス及び酸化剤オフガスの少なくとも一方から回収した凝縮水を貯える凝縮水タンクを備え、前記オーバフロー口は前記凝縮水タンクに連結しても良い。
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
離間してそれぞれ異なる人体部位に接する第１および第２の電極と、
前記第１の電極に接続し、前記第２の電極に向かって人体に交流定電流の経路を形成するように電気信号を印加する信号印加手段と、
前記信号印加手段により発生する人体の電気反応を基に人体インピーダンスを検出する検出手段と、
前記第１および第２の電極が接する人体部位とは異なる人体部位に指示器が接触することにより、該接触した指示位置に依存して変化する前記人体インピーダンスの値から前記指示器による前記指示位置を算出する算出手段と、
を有することを特徴とする入力装置。
【請求項２】
前記算出手段は、前記人体インピーダンスの値の大小から前記指示位置と前記経路との距離の遠近を算出することを特徴とする請求項１に記載の入力装置。
【請求項３】
前記信号印加手段は、所定の周波数の方形波を発生するクロック発生器と、
前記方形波を正弦波に変換するとともに前記所定の周波数とは異なる周波数を除外するフィルタと、
を有することを特徴とする請求項１または２に記載の入力装置。
【請求項４】
前記信号印加手段は、前記正弦波の電圧値を電流に変換する電圧電流変換器を有することを特徴とする請求項３に記載の入力装置。
【請求項５】
前記検出手段は、前記人体インピーダンスにより発生する電圧を増幅する増幅器と、
前記増幅器により増幅された電圧を直流化する積分器と、
前記積分器により直流化された電圧をディジタル化するA／D変換器と、を有することを特徴とする請求項１から３のいずれか１つに記載の入力装置。
【請求項６】
前記算出手段は、前記人体インピーダンスが有効な値かチェックする比較器と、
前記人体インピーダンスと前記指示位置との関係を情報として保持するインピーダンス／位置変換テーブルと、
前記インピーダンス／位置変換テーブルを参照し前記指示位置を算出する位置換算器と、を有することを特徴とする請求項１から４のいずれか１つに記載の入力装置。
【手続補正２】
【補正対象書類名】明細書
【補正対象項目名】００１３
【補正方法】変更
【補正の内容】
【００１３】
離間してそれぞれ異なる人体部位に接する第１および第２の電極と、第１の電極に接続し、第２の電極に向かって人体に交流定電流の経路を形成するように電気信号を印加する信号印加手段と、信号印加手段により発生する人体の電気反応を基に人体インピーダンスを検出する検出手段と、第１および第２の電極が接する人体部位とは異なる人体部位に指示器が接触することにより、接触した指示位置に依存して変化する人体インピーダンスの値から指示器による指示位置を算出する算出手段と、を有することを特徴とする。
【手続補正３】
【補正対象書類名】明細書
【補正対象項目名】００１４
【補正方法】変更
【補正の内容】
【００１４】
算出手段は、人体インピーダンスの値の大小から指示位置と経路との距離の遠近を算出することを特徴とする。
【手続補正４】
【補正対象書類名】明細書
【補正対象項目名】００１５
【補正方法】変更
【補正の内容】
【００１５】
信号印加手段は、所定の周波数の方形波を発生するクロック発生器と、方形波を正弦波に変換するとともに所定の周波数とは異なる周波数を除外するフィルタと、を有することを特徴とする。
【手続補正５】
【補正対象書類名】明細書
【補正対象項目名】００１６
【補正方法】変更
【補正の内容】
【００１６】
信号印加手段は、正弦波の電圧値を電流に変換する電圧電流変換器を有することを特徴とする。
【手続補正６】
【補正対象書類名】明細書
【補正対象項目名】００１９
【補正方法】削除
【補正の内容】
【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
メモリと該メモリを利用する外部装置との間でシリアルデータのやり取りを行うインターフェースの回路を有し、該インターフェースの回路は、外部との双方向通信手段のためのシリアルデータ端子とデータを取り込むための同期クロック入力端子とを備える半導体装置において、
前記インターフェースの回路は、
前記シリアルデータ端子と前記同期クロック入力端子とからの信号を入力するとともに前記同期クロック入力端子の信号の立ち下りに同期して動作する制御手段と、
前記制御手段の出力信号と前記同期クロック入力端子とからの信号を入力するとともに前記同期クロック入力端子の信号の立ち上がりに同期して動作するフリップフロップ回路と、
前記制御手段の出力信号を入力するとともに前記制御手段により制御される第１のスイッチ回路と、
前記フリップフロップ回路の出力信号を入力するとともに前記制御手段により制御される第２のスイッチ回路と、
前記第１および第２のスイッチ回路の出力信号を前記シリアルデータ端子に接続する信号配線と、
を有し、
前記インターフェースの回路が入力状態のとき、前記第１および第２のスイッチ回路がオフし、前記制御手段に前記シリアルデータを入力し、
前記インターフェースの回路が出力状態のとき、前記第１または第２のスイッチ回路のどちらか一方がオンし、前記制御手段から前記同期クロック入力端子の信号の立ち下りまたは立ち上がりに同期した前記シリアルデータを送出することを特徴とする半導体装置。
【請求項２】
前記制御手段は、外部より入力する制御信号によって、前記第１または第２のスイッチ回路のオンまたはオフを制御することを特徴とする請求項１に記載の半導体装置。
【手続補正２】
【補正対象書類名】明細書
【補正対象項目名】００１３
【補正方法】変更
【補正の内容】
【００１３】
メモリとこのメモリを利用する外部装置との間でシリアルデータのやり取りを行うイン
ターフェースの回路を有し、該インターフェースの回路は、外部との双方向通信手段のためのシリアルデータ端子とデータを取り込むための同期クロック入力端子とを備える半導体装置において、インターフェースの回路は、シリアルデータ端子と同期クロック入力端子とからの信号を入力するとともに同期クロック入力端子の信号の立ち下りに同期して動作する制御手段と、制御手段の出力信号と同期クロック入力端子とからの信号を入力するとともに同期クロック入力端子の信号の立ち上がりに同期して動作するフリップフロップ回路と、制御手段の出力信号を入力するとともに制御手段により制御される第１のスイッチ回路と、フリップフロップ回路の出力信号を入力するとともに制御手段により制御される第２のスイッチ回路と、第１および第２のスイッチ回路の出力信号をシリアルデータ端子に接続する信号配線と、を有し、インターフェースの回路が入力状態のとき、第１および第２のスイッチ回路がオフし、制御手段にシリアルデータを入力し、インターフェースの回路が出力状態のとき、第１または第２のスイッチ回路のどちらか一方がオンし、制御手段から同期クロック入力端子の信号の立ち下りまたは立ち上がりに同期したシリアルデータを送出することを特徴とする。
【手続補正３】
【補正対象書類名】明細書
【補正対象項目名】００１４
【補正方法】変更
【補正の内容】
【００１４】
制御手段は、外部より入力する制御信号によって、第１または第２のスイッチ回路のオンまたはオフを制御することを特徴とする。
【手続補正４】
【補正対象書類名】明細書
【補正対象項目名】００１８
【補正方法】変更
【補正の内容】
【００１８】
本発明の半導体装置が入力状態の場合、第１のスイッチ回路５と第２のスイッチ回路６とはオフとなり外部からの信号は制御手段１に入力される。
【手続補正書】
【提出日】平成19年7月24日(2007.7.24)
【手続補正１】
【補正対象書類名】特許請求の範囲
【補正対象項目名】全文
【補正方法】変更
【補正の内容】
【特許請求の範囲】
【請求項１】
対象物を撮影するための撮影手段と、
対象物の記憶媒体から無線により情報を読み取る読取手段と、
前記撮像手段により撮像された対象物の特徴を識別する識別手段と、
各対象物のＩＤと各対象物の特徴とを対応付けて記憶するデータベースから取得した情報と、前記読取手段により読み取った情報と、前記識別手段により識別した撮影対象物の特徴とに基づいて、前記記憶媒体に関連する対象物の撮影画像中での位置を判別する判別手段と、を有することを特徴とする情報取得装置。
【請求項２】
請求項１において、
前記情報取得装置は、前記データベースを有することを特徴とする情報取得装置。
【請求項３】
請求項１において、
撮影画像中の対象物の位置に、前記読取手段により読み取った情報に基づく情報を表示する表示手段を有することを特徴とする情報取得装置。
【請求項４】
請求項１において、
前記読取手段は、前記撮影手段の画角の指向性アンテナを有することを特徴とする情報取得装置。
【請求項５】
請求項１において、
前記識別手段が識別する特徴は、エッジ、色、輝度、テクスチャ、動きの有無、形状、特徴点間の距離のうち少なくとも一つ以上を含むことを特徴とする情報取得装置。
【請求項６】
請求項２において、
前記データベースには、対象物の名称あるいは型番、もしくは、各対象物に固有の情報を記憶することを特徴とする情報取得装置。
【請求項７】
請求項２において、
読取手段により前記情報を受信する際の電波強度と、対象物の特徴との拡大・縮小率の関係を示した対応表を記憶する記憶手段と、
前記読取手段により前記情報を受信した電波強度と前記対応表から特徴の拡大・縮小率を求め、データベースから読み出した特徴を拡大・縮小する特徴量調整手段を有し、
前記判別手段は、拡大・縮小して調整したデータベースから読み出した特徴と前記識別手段により識別した特徴とも基づいて、前記記憶媒体に関連する対象物の撮影画像中での位置を判別することを特徴とする情報取得装置。
【請求項８】
請求項１において、
前記読取手段により読み取った情報に対応する対象物を発見できない場合には、対象物の位置が特定できなかった旨と対象物の情報を示す表示を行う表示手段を有することを特徴とする情報取得装置。
【請求項９】
請求項１において、
前記読取手段により読み取った情報と、前記識別手段により識別した撮影対象物の特徴とに基づいて、撮影対象物に対応させて該対象物に関する情報を表示する表示手段と、
撮影対象物に対応させて表示する情報を切り替える切り替え手段を有することを特徴とする情報取得装置。
【請求項１０】
請求項１において、
撮影画像と、該画像中の対象物の位置と、該対象物に関する情報とを保存する情報保存手段を有することを特徴とする情報取得装置。
【請求項１１】
対象物を撮影するための撮影手段と、
対象物の記憶媒体から無線により情報を読み取る読取手段と、
前記撮像手段により撮像された対象物の特徴を識別する識別手段と、
各対象物に対して割り当てたＩＤと各対象物の特徴とを対応付けて記憶するデータベースから取得した情報と、前記読取手段により読み取った情報と、前記識別手段により識別した撮影対象物の特徴とに基づいて、前記読取手段により情報を読み取った対象物を特定する特定手段と、を有することを特徴とする情報取得装置。
【請求項１２】
請求項１１において、
前記特定手段により特定した対象物に対応させて、該対象物に関する情報を表示する表示手段を有することを特徴とする情報取得装置。
【請求項１３】
撮影画像中の撮影対象物の位置を判別する判別方法において、
対象物の記憶媒体から無線により情報を読み取る読取工程と、
撮像された対象物の特徴を識別する識別工程と、
各対象物のＩＤと各対象物の特徴とを対応付けて記憶するデータベースから取得した情報と、前記読取工程において読み取った情報と、前記識別工程において識別した撮影対象物の特徴とに基づいて、前記記憶媒体に関連する対象物の撮影画像中での位置を判別する判別工程と、を有することを特徴とする判別方法。
【請求項１４】
撮影画像中の撮影対象物を特定する対象物特定方法において、
対象物の記憶媒体から無線により情報を読み取る読取工程と、
撮像された対象物の特徴を識別する識別工程と、
各対象物のＩＤと各対象物の特徴とを対応付けて記憶するデータベースから取得した情報と、前記読取工程において読み取った情報と、前記識別工程において識別した撮影対象物の特徴とに基づいて、前記読取工程において前記情報を読み取った対象物を特定する特定工程と、を有することを特徴とする対象物特定方法。
【手続補正２】
【補正対象書類名】明細書
【補正対象項目名】００１３
【補正方法】変更
【補正の内容】
【００１３】
本願発明は、上記目的の少なくとも１つを達成するために、対象物の記憶媒体から無線により情報を読み取る共に、撮像された対象物の特徴を識別し、各対象物のＩＤと各対象物の特徴とを対応付けて記憶するデータベースから取得した情報と、読み取った情報と、識別した撮影対象物の特徴とに基づいて、記憶媒体に関連する対象物の撮影画像中での位置を判別することを特徴とする。
【手続補正３】
【補正対象書類名】明細書
【補正対象項目名】００１４
【補正方法】変更
【補正の内容】
【００１４】
また、対象物の記憶媒体から無線により情報を読み取る共に、撮像された対象物の特徴を識別し、各対象物のＩＤと各対象物の特徴とを対応付けて記憶するデータベースから取得した情報と、読み取った情報と、識別した撮影対象物の特徴とに基づいて、情報を読み取った対象物を特定することを特徴とする。